(57)【特許請求の範囲】
【請求項１】
円板状の台金の円周縁に複数の歯が形成されているチップソーにおいて、
該複数の歯が第１の間隔で配置される第１の領域と、
該第１の領域と隣接して設けられ、前記第１の間隔と異なる第２の間隔で前記複数の歯が配置される第２の領域と、を有し、
前記第１の領域と前記第２の領域との間の前記台金に切り欠き部を設けたことを特徴とするチップソー。
【請求項２】
前記切り欠き部は、前記台金の円周部から中心部に向かって形成されていることを特徴とする請求項１記載のチップソー。
【請求項３】
前記第１の領域と前記第２の領域が交互に配置され、
前記第１の領域と前記第２の領域の変目の一方側に前記切り欠き部が設けられると共に、他方の変目にスリットが設けられていることを特徴とする請求項１又は請求項２記載のチップソー。
【請求項４】
前記複数の歯は、斜め歯と平歯からなり、
前記台金を半径方向外側から見た場合、該斜め歯は、傾斜部分が互いに反対方向を向くように交互に設けられ、
前記平歯は、前記変目に位置することを特徴とする請求項１乃至請求項３のいずれか一項記載のチップソー。
【請求項５】
前記第１の間隔で配置される前記歯と、前記第２の間隔で配置される前記歯との比率が８対５であることを特徴とする請求項１乃至４のいずれか一項記載のチップソー。
【請求項６】
請求項１乃至請求項５のいずれか一項に記載のチップソーを備えた電動工具。
【発明の詳細な説明】
【技術分野】
【０００１】
本発明は、被削材の切断に使用されるチップソー及びチップソーを備えた電動工具に関するものである。
【背景技術】
【０００２】
図９を用いて一般的な従来のチップソーの説明する。携帯用切断機、例えば携帯用丸鋸で使用されるチップソー１００は、木材等の被削材を切断するために用いられ、のこ身と呼ばれる台金１０１を母体として切断性能の優れた特殊工具材料である超鋼合金製のチップ１０２を歯先に接合した鋸である。従来の一般的なチップソー１００は、チップ１０２の配列（ピッチ）が一定である。一般的に、被削材を切断する際、木材の繊維に対し平行に切断する場合、ピッチの間隔が広い縦挽き用のチップソーを使用し、木材の繊維に対して直角に切断する場合はピッチの間隔が狭い横挽き用のチップソーを使用している。
【０００３】
一方、不等間隔のピッチを採用したチップソーは文献１、文献２、文献３で示されるように様々な形態で公知となっている。
【先行技術文献】
【特許文献】
【０００４】
【特許文献１】特開平６‐３１４１７７
【特許文献２】特開昭５２５２２９２
【特許文献３】実用新案昭６０‐８４２１０
【発明の概要】
【発明が解決しようとする課題】
【０００５】
しかし、作業内容に応じてチップソーを交換するのは、作業効率が悪く、複数種類のチップソーを用意しなければならないため不経済である。また、チップソーのチップ数（歯数）が多いと、被削材の切断面角部に発生する繊維の毛羽立ちが少なく滑らかな切断面が得られるが、切削抵抗が増して作業性が悪くなると共に、製造コストが高くなる。逆にチップ数を少なくすると切削抵抗が少なくなるため作業性が向上し、製造コストも抑えられるが、繊維の毛羽立ちが多く、切断面の凹凸が大きくなり、滑らかな切断面が得られなくなる。
【０００６】
一方、携帯用切断機に使用されるチップソーでは、切断性能と価格のバランスから、歯数が５２枚前後のチップソーが多く用いられている。しかし、近年、建築従事者の高齢化や、作業の効率化が要求される建築現場が増加しており、作業負荷を減らし、作業効率の向上させるチップソーが求められている。また、切断時に生じる振動を低減することが求められている。また、特許文献１乃至３のような不等間隔のピッチを採用したチップソーは、いずれも木材等の被削材の切断に最適なピッチが提供されておらず、切断性能に問題があり、現在は殆ど使用されていない。
【０００７】
そこで本発明は、切削抵抗及び振動が少なく、効率的な作業が可能でしかも安価なチップソーを提供することを目的としている。
【課題を解決するための手段】
【０００８】
上記目的は、円板状の台金の円周縁に複数の歯が形成されているチップソーにおいて、該複数の歯が第１の間隔で配置される第１の領域と、該第１の領域と隣接して設けられ、前記第１の間隔と異なる第２の間隔で前記複数の歯が配置される第２の領域と、を有し、前記第１の領域と前記第２の領域との間の前記台金に切り欠き部を設けたことにより達成することができる。
【発明の効果】
【０００９】
本発明の携帯切断機用チップソーによれば、切断抵抗及び振動の低減が可能となり、作業効率を向上させることができる。
【図面の簡単な説明】
【００１０】
【図１】本発明となるチップソーの一実施形態を示す正面図。
【図２】本発明となるチップソーの第２の領域で被削材を切断する状態を示す概略図。
【図３】本発明となるチップソーの第１の領域で被削材を切断する状態を示す概略図。
【図４】図１の矢印ａから見たチップソーの概略図。
【図５】図１の矢印ｂから見たチップソーの概略図。
【図６】本発明となるチップソーの別の実施形態を示す正面図。
【図７】本発明となるチップソーの切断特性を示す図。
【図８】本発明となるチップソーを搭載した電動工具の側面図。
【図９】従来のチップソーの概略図。
【発明を実施するための形態】
【００１１】
本発明となる携帯用切断機に使用されるチップソーの実施形態を図１乃至図８を用いて説明する。図１において、チップソー１は、チップソーの本体部分を構成する台金２の円周上に超硬合金製のチップ（歯）３を接合して配置されている。各チップ３のピッチ（間隔）は、狭いピッチ部である第１の領域Ａ（ピッチ間隔Ｌ１）と、広いピッチ部である第２の領域Ｂ（ピッチ間隔Ｌ２）の２種類からなり、各ピッチ部Ａ及びＢは交互に配設されている。チップソー１は、第１の領域Ａと第２の領域Ｂとを合わせた角度が９０度であり、これを１組として４組から構成されている。チップソー１は後述する電動工具である、例えば携帯用丸鋸の回転軸１４に挿入され、チップソー１の中心に形成された穴６を有する。
【００１２】
１組の組合せは、第１の領域Ａの歯数が８枚、第２の領域Ｂの歯数が５枚で構成され、チップソー１としての歯数が５２枚で構成されている。チップ３は、後述する斜め歯となる交互歯３ａ、３ｂが４８枚、平歯３ｃが４枚あり、全周で５２枚の歯で構成されている。各領域の変目、本実施の形態ではチップソー１の回転方向に対して第１の領域Ａから第２の領域Ｂに切り替わる台金２の円周部分には切り欠き部となる割り溝４を備え、割り溝４は台金２の外周部から穴６に向かって形成されている。また、チップソー１の回転方向に対して第２の領域Ｂから第１の領域Ａに切り替わる台金２の内周部分には穴６に向かって湾曲した振動抑制スリット５を備える。これら割り溝４とスリット５は、各領域の変目にそれぞれ形成されており、それぞれ台金２に４箇所形成されている。
【００１３】
図２に示すように、第２の領域Ｂ（ピッチ間隔Ｌ２）での被削材Ｗの切削は、被削材Ｗに当接する歯の数が少ないため、切削抵抗が少なくなり、送り量の大きい効率的な高速切削が行われる反面、一歯あたりの切削量が大きいので、切り屑が大きくなり、切断面が粗くなってしまう。
【００１４】
また、図３に示すように、第２の領域Ｂで被削材Ｗを切削した後、第１の領域Ａ（ピッチ間隔Ｌ１）での切削は、被削材Ｗに当接する歯の数が多いため、切削抵抗が大きくなり、送り量が小さくなる反面、一歯あたりの切削量が小さいので、切り屑が細かくなり、切断面が滑らかになる。狭いピッチ部（第１の領域Ａ）の側面は、広いチップ部（第２の領域Ｂ）で切削した粗い切断面Ｗ１を通過するので、粗い切削面Ｗ１を滑らかにしながら切り進むために、被削材Ｗの切断面の全面が滑らかなとなる。
【００１５】
ここで、チップソー１が被削材Ｗを切削する際に発生する振動は、切削量の変化があると振動が大きくなる傾向がある。歯３のピッチが均一に配設された従来チップソーに比べ、歯３のピッチ（Ｌ１、Ｌ２）が変わる本発明チップソー１では被削材Ｗの切削中に発生する振動が大きくなり、挽き曲がりや、騒音の原因になるため、振動対策を講じなければならない場合がある。振動が大きく発生する理由は、上記したとおり、ピッチの変わり目Ｘ及びＹの位置である。言い換えれば、振動の発生源に近接した位置に振動抑制機能を備えれば、効果的な振動対策となる。
【００１６】
そこで、本発明チップソー１には８箇所の歯３のピッチの変わり目（第１の領域Ａから第２の領域Ｂへの変わり目、第２の領域Ｂから第１の領域Ａへの変わり目）があり、その内、４箇所の狭いピッチ部（第１の領域Ａ）から広いピッチ部（第２の領域Ｂ）への変わり目Ｘに平歯３ｃを配設している。図４及び図５に示すように、平歯３ｃは横すくい角θと横逃げ角θ１が０°で、切削時に挾圧力が左右均等に作用し刃部の曲がりや台金２をねじることがない。そのため、振動の発生を抑制することが可能になる。また、本発明チップソー１には、狭いピッチ部（第１の領域Ａ）から広いピッチ部（第２の領域Ｂ）への変わり目の台金２の外周部分に割り溝４を４箇所配設しており、後述する割り溝５の効果として、台金２の腰いれの省微化と振動抑制が知られており、前記割り溝４を平歯３ｃの歯底に配設することにより、振動抑制効果を向上することができる。
【００１７】
もう一方の４箇所の広いピッチ部（第２の領域Ｂ）から狭いピッチ部（第１の領域Ａ）への変わり目Ｙの中心方向（内周部）の台金上２に、振動抑制スリット５を配設し台金２の振動を吸収させて、振動抑制を実現している。
【００１８】
なお、図６に示すように、狭いピッチ部（第１の領域Ａ）から広いピッチ部（第２の領域Ｂ）への変わり目に振動抑制スリット８を設けると共に、広いピッチ部から狭いピッチ部への変わり目に割り溝４及び平歯３ｃを設けても、図１のチップソー１と同様に振動低減効果を得ることができ効果的な振動対策を講じることができる。なお、スリット８に樹脂を流し込むことによりより一層の振動低減効果を実現することも可能である。
【００１９】
本発明では、歯３のピッチの変り目、すなわち第１の領域Ａと第２の領域Bとの間に、切り欠き部４或いはスリット５を設けるようにした。これは、チップソー１による切削量が変化する位置、すなわち、切断面は綺麗だが切削速度が遅い（切削抵抗が大きい）第１の領域Ａから切断面が粗いが切削速度が速い（切削抵抗が小さい）第２の領域Bへの変り目が最も振動が大きくなるためである。ピッチの変り目で発生した振動が切り欠き部４或いはスリット５によって低減される。なお、ピッチの変わ目ではなく、任意の位置に切り欠き部４やスリット５を設けても振動低減効果を得ることはできるが、ピッチの変り目で振動が発生した後に振動を低減するように作用することになるため、ピッチの変り目に設けることが最も振動低減には効果的である。
【００２０】
本発明となるチップソー１は、歯数が５２枚で構成されているが、これは、一般的なチップソーと同程度であり、チップソー１の製造コストが一般のチップソーと同等であることを示している。歯数を５２枚にして、効率良い切削性能と滑らかな切断面を得るには、狭いピッチ部（第１の領域Ａ）の歯数が８枚、広いピッチ部（第２の領域Ｂ）の歯数が５枚で構成することが理想である。
【００２１】
図７に示すグラフは、本発明となるチップソー１と一般的に市販されている刃数５２枚で構成されたチップソーを携帯用丸鋸に取付け、被削材の切断を行った時の携帯用丸鋸に流れる電流値と切断速度との関係を示したものである。図７から分かるように、本発明チップソー１（図中Ｓ１）が一般的なチップソー（図中Ｓ２）に比べ、携帯用丸鋸に流れる電流値が同じ場合、すなわち携帯用丸鋸にかける負荷が同じ場合に、切断速度が速く切断効率に優れたチップソー１を提供することができる。
【００２２】
図７の実験に使用した携帯用丸鋸を図８に示す。携帯用丸鋸１０は、チップソー１の回転を行う不図示のモータと、被削材Ｗに当接し被削材Ｗ上を摺動するベース１１と、チップソー１のベース１１の上方側に位置する部分を覆うソーカバー１２と、チップソー１のベース１１の不図示の開口部から下方へ突出する部分を覆うセーフティカバー１３と、作業者が把持するハンドル１５を備えている。セーフティカバー１３は、被削材Ｗに当接することにより、チップソー１の穴６が取付けられチップソー１の回転中心となる回転軸１４を中心に図中時計回りに回転することで、チップソー１を露出させ、被削材Ｗの切断作業を行うことができるように構成されている。なお、セーフティカバー１３には、作業者が手動でセーフティカバー１３を回動できるように操作レバー２１が設けられている。
【００２３】
チップソー１は、ベース１１の底面から下方に突出する量、すなわち切込み深さを変更できるように切込み深さ調整機構が設けられている。切込み深さを調整する場合には、レバー１７を緩め、ソーカバー１２がベース１１に対して回動できるようにし、ベース１１とソーカバー１２を接続する接続部（ボルト）１８を回動支点としてソーカバー１２を回動させる。その後、所望の切込み深さに調整したら、レバー１７を締めることで切込み深さを調整することができる。なお、切込み深さ調整は、ベース１１側に設けられ、ソーカバー１２の回動方向に延在するリンクとソーカバー１２とをレバー１７によって固定することによって行われる。
【００２４】
また、携帯用丸鋸１０は、ベース１１に対してチップソー１を傾斜させて傾斜切断することができる。すなわち、ベース１１に設けられた傾斜機構部１９には不図示の長穴が設けられており、長穴に挿入されるノブボルト２０を緩め、ベース１１に対してチップソー１（丸鋸本体）を図８の手前側に傾斜させた後、ノブボルト２０を締め付けることにより、傾斜切断を行うことができる。
【００２５】
更に、ソーカバー１２には、切粉排出口１６が設けられており、チップソー１の回転により切削された切粉が、チップソー１の遠心力によってソーカバー１２の内部に導かれ、その後切粉排出口１６から排出される。切粉排出口１６には、不図示の集塵バッグや集塵機を取付けることが可能であり、切粉の飛散を抑制することができる。
【００２６】
以上説明したように、本発明によれば、ピッチ間隔が狭いピッチ部（第１の領域Ａ）とピッチ間隔が広いピッチ部（第２の領域Ｂ）を交互に配置し、その変わり目に切り欠き部あるいはスリットを設けたことにより、切断速度を向上することができると共に振動を低減することができる。更に、変わり目に平歯を設けることにより、切断面をきれいに仕上げることができると共に、振動低減を実現することができる。
【００２７】
なお、上記したチップソーは、歯数が５２枚の場合について説明したが、それ以上或いは以下であっても良く、また、各領域の歯数は任意に設定しても良い。
【符号の説明】
【００２８】
１は本発明となるチップソー、２はチップソーの台金、３は歯(チップ)、３ａ及び３ｂは交互歯、３ｃは平歯４は切り欠き部、５はスリット、６は穴、Ａは第１の領域、Ｂは第２の領域である。
【図１】
0005397251.tif 000002
【図２】
0005397251.tif 000003
【図３】
0005397251.tif 000004
【図４】
0005397251.tif 000005
【図５】
0005397251.tif 000006
【図６】
0005397251.tif 000007
【図７】
0005397251.tif 000008
【図８】
0005397251.tif 000009
【図９】
0005397251.tif 000010